(57)【要約】【課題】映像音響機器において、複数のモデルの映像音響機器の設定データを管理する際に、設定データの管理の手間を軽減する。【解決手段】ＢＤプレーヤは、複数のモデルのＢＤプレーヤが使用する可能性のある全種別の設定項目と、この全種別の設定項目に対する設定値等を含む情報が格納された設定情報マスタデータを記憶し、ＢＤプレーヤのモデルに応じて、このモデルが使用する設定項目及び設定値を含む設定データを生成する設定データ生成処理を行う。設定データ生成処理を行う際に、ＢＤプレーヤは、設定情報マスタデータに含まれる全種別の設定項目を含むマスタ画面を表示する。作業者は、画面に表示された全種別の設定項目の中から、ＢＤプレーヤのモデルに対応した設定項目を選択し、選択した設定項目に対する設定値や初期値を設定する。そして、作業者によって設定データの生成が指示されると、ＢＤプレーヤは設定内容に応じた設定データを生成する。【選択図】図３
2013005011.tif 000002
【特許請求の範囲】
【請求項１】
各種の設定項目と、この設定項目に対する設定値とを含む設定データを記憶する第１記憶手段を備え、該第１記憶手段に記憶された前記設定データの内容に基づいて装置各部の動作を行う映像音響機器において、
複数のモデルの前記映像音響機器が使用する可能性のある全種別の設定項目と、この全種別の設定項目に対する設定値とを含む設定管理データを記憶する第２記憶手段と、
前記複数のモデルの映像音響機器のうちの、所望のモデルの映像音響機器の前記設定データを生成する際に、前記第２記憶手段に記憶された前記設定管理データに含まれる前記全種別の設定項目の中から、前記所望のモデルの映像音響機器に対応した設定項目を選択するための選択手段と、
前記選択手段によって選択された設定項目に対する設定値を入力するための入力手段と、
前記選択手段によって選択された設定項目、及び前記入力手段によって入力された設定値を含む前記設定データを生成するための生成手段とをさらに備え、該生成手段によって生成された前記設定データを、前記第１記憶手段に記憶することを特徴とする映像音響機器。
【請求項２】
前記選択手段によって選択された設定項目に対する設定値に、固定値、又はユーザによって選択された値のいずれかを設定するための入力方法設定手段をさらに備え、
前記生成手段により生成される前記設定データは、前記入力方法設定手段による設定内容をさらに含むことを特徴とする請求項１に記載の映像音響機器。
【請求項３】
前記入力方法設定手段により、ユーザによって選択された値を設定値とするように設定された設定項目に対して、ユーザによって選択可能な設定値の範囲、及び設定値の初期値を設定するためのユーザ入力設定手段をさらに備え、
前記生成手段により生成される前記設定データは、前記ユーザ入力設定手段によって設定された、前記ユーザによって選択可能な設定値の範囲、及び設定値の初期値をさらに含むことを特徴とする請求項２に記載の映像音響機器。
【発明の詳細な説明】
【技術分野】
【０００１】
本発明は、設定データの内容に基づいて動作を行う映像音響機器に関する。
【背景技術】
【０００２】
従来から、ＢＤプレーヤ等の映像音響機器は、各種の設定情報を格納した設定データを記憶しており、この設定データの内容に基づいて動作を行っている。設定データには、各種の設定項目と、この設定項目に対する設定値等が格納されている。例えば、設定項目の「言語」に設定値として「日本語」が設定されている場合、映像音響機器は画面表示を行う際に、日本語で表示を行う。
【０００３】
ところで、映像音響機器の基本的な性能をそのままにして、さらに機能を追加することにより、小規模な改良（モデルチェンジ）を行うことがある。すなわち、映像音響機器のモデルごとに、設定データは、設定項目の有無や、設定値の値や、設定値の初期値等が異なっている。従って、映像音響機器のモデルごとに、このモデルが使用する設定項目及び設定値を含む設定データを管理する必要があるため、設定データの管理が煩雑であるという問題がある。
【０００４】
これに対して、特許文献１には、チューナによる放送受信時や、ＤＶＤ再生時に共用した項目を設定し、ＯＳＤ表示の設定言語の情報をＯＳＤ合成部に出力し、装置本体の各部の共通な設定項目の設定を受け付ける初期設定機能を有するデジタル放送録画装置が開示されている。しかしながら、このデジタル放送録画装置では、共通な設定項目しか設定できず、その他の設定項目をモデルごとに設定する必要があるので、上記問題を解決できない。
【０００５】
また、特許文献２には、制御部について共通する設定項目を含むメニュー画面を出力するステップと、メイン制御部がユーザにより選択された設定内容を１つの動作で制御部に伝送するステップと、制御部がそれぞれ設定内容の通りにシステムを設定するステップとを含むシステム設定の処理方法が開示されている。しかしながら、このシステム設定の処理方法であっても、上記問題を解決できない。
【０００６】
また、特許文献３には、表示画面上に表示された各種設定テーブルには，設定されているモード（再生モードか撮像モードか）に関係ない共通の設定項目（モニター明るさ，音量）とモードに固有の設定項目（ＳＥＴ−ＵＰ）とが含まれ、このテーブルを表示させることにより、モードに関係のない共通の設定項目もモードに固有の設定項目もユーザが設定できるようになるディジタル・スチル・カメラが開示されている。しかしながら、このディジタル・スチル・カメラでは、上記設定データの管理の手間を軽減できないため、上記問題を解決できない。
【０００７】
また、特許文献４には、出力設定画面を表示部に表示させる際に、出力設定画面を、複数種のデバイスに共通する共通項目を設定させる共通設定領域と、デバイス種毎に設定可能な個別項目を設定させるデバイス種毎の個別設定領域とに分類して表示させ、共通設定領域で設定された出力条件を全てのデバイス種に適用し、各々のデバイス種の個別設定領域で設定された出力条件を当該各々のデバイス種に適用した出力設定情報を生成する出力指示装置及び出力指示プログラムが開示されている。しかしながら、この出力指示装置及び出力指示プログラムであっても、上記問題を解決できない。
【先行技術文献】
【特許文献】
【０００８】
【特許文献１】特開２００８−１８２６３２号公報
【特許文献２】特開２００５−２６０９２４号公報
【特許文献３】特開２００２−２２３３７７号公報
【特許文献４】特開２０１０−２５０５３２号公報
【発明の概要】
【発明が解決しようとする課題】
【０００９】
本発明は、上述した問題点を解決するためになされたものであり、複数のモデルの映像音響機器の設定データを管理する際に、設定データの管理の手間を軽減できる映像音響機器を提供することを目的とする。
【課題を解決するための手段】
【００１０】
上記目的を達成するために請求項１の発明は、各種の設定項目と、この設定項目に対する設定値とを含む設定データを記憶する第１記憶手段を備え、該第１記憶手段に記憶された前記設定データの内容に基づいて装置各部の動作を行う映像音響機器において、複数のモデルの前記映像音響機器が使用する可能性のある全種別の設定項目と、この全種別の設定項目に対する設定値とを含む設定管理データを記憶する第２記憶手段と、前記複数のモデルの映像音響機器のうちの、所望のモデルの映像音響機器の前記設定データを生成する際に、前記第２記憶手段に記憶された前記設定管理データに含まれる前記全種別の設定項目の中から、前記所望のモデルの映像音響機器に対応した設定項目を選択するための選択手段と、前記選択手段によって選択された設定項目に対する設定値を入力するための入力手段と、前記選択手段によって選択された設定項目、及び前記入力手段によって入力された設定値を含む前記設定データを生成するための生成手段とをさらに備え、該生成手段によって生成された前記設定データを、前記第１記憶手段に記憶するものである。
【００１１】
また、請求項２の発明は、請求項１に記載の映像音響機器において、前記選択手段によって選択された設定項目に対する設定値に、固定値、又はユーザによって選択された値のいずれかを設定するための入力方法設定手段をさらに備え、前記生成手段により生成される前記設定データは、前記入力方法設定手段による設定内容をさらに含むものである。
【００１２】
また、請求項３の発明は、請求項２に記載の映像音響機器において、前記入力方法設定手段により、ユーザによって選択された値を設定値とするように設定された設定項目に対して、ユーザによって選択可能な設定値の範囲、及び設定値の初期値を設定するためのユーザ入力設定手段をさらに備え、前記生成手段により生成される前記設定データは、前記ユーザ入力設定手段によって設定された、前記ユーザによって選択可能な設定値の範囲、及び設定値の初期値をさらに含むものである。
【発明の効果】
【００１３】
本発明によれば、所望のモデルの映像音響機器の設定データを生成する際に、設定管理データに含まれる全種別の設定項目の中から、所望のモデルの映像音響機器に対応した設定項目を設定手段によって選択すると共に、選択された設定項目に対する設定値を入力手段で入力し、選択手段によって選択された設定項目、及び入力手段によって入力された設定値を含む設定データを生成する。そのため、多数のモデルがある映像音響機器であっても、設定手段及び入力手段を用いるだけで、所望のモデルの映像音響機器の設定データを容易に生成することができるので、モデルごとの映像音響機器の設定データの管理の手間を軽減できる。
【図面の簡単な説明】
【００１４】
【図１】本発明の一実施形態に係るＢＤプレーヤの内部構成を示すブロック図。
【図２】上記ＢＤプレーヤにおける設定データ生成処理の手順を示すフローチャート。
【図３】上記設定データ生成処理におけるマスタ画面の一例を示す説明図。
【図４】上記設定データ生成処理における設定画面の一例を示す説明図。
【図５】上記設定データ生成処理における設定画面の一例を示す説明図。
【図６】上記設定データ生成処理における設定画面の一例を示す説明図。
【図７】上記設定データ生成処理における設定画面の一例を示す説明図。
【図８】上記設定データ生成処理における設定画面の一例を示す説明図。
【図９】上記設定データ生成処理における設定画面の一例を示す説明図。
【図１０】上記設定データ生成処理における設定画面の一例を示す説明図。
【図１１】本発明の一実施形態に係るＢＤプレーヤの変形例と、このＢＤプレーヤに接続された管理機器とを含むシステムを示す概略構成図。
【図１２】上記管理機器の内部構成を示すブロック図。
【図１３】上記ＢＤレコーダの内部構成を示すブロック図。
【発明を実施するための形態】
【００１５】
以下、本発明の一実施形態に係る映像音響機器について、図１を参照して説明する。図１は、ＢＤプレーヤ（映像音響機器）１の電気的ブロック構成を示す。
【００１６】
ＢＤプレーヤ１は、各種設定情報を格納した設定データ１４ｂの内容に基づいて動作を行う機器である。また、ＢＤプレーヤ１は、自機のモデルに応じて、自機が使用する設定項目及び設定値を含む設定データ１４ｂを生成する処理（以下、設定データ生成処理という）を行う機器である。設定データ生成処理の詳細については後述する。
【００１７】
ＢＤプレーヤ１は、モニタ装置６に映像信号を供給する通信部１１と、光ディスクドライブ１２と、ユーザによって操作される各種操作ボタンを有する操作部１３と、各種情報を記憶するメモリ１４と、ＢＤプレーヤ１の各部を制御するための制御部１０とを備える。
【００１８】
通信部１１は、伝送ケーブル５を介して接続されたモニタ装置６に映像信号を供給する。モニタ装置６は、ＢＤプレーヤ１から供給された映像信号に基づく映像を表示可能な機器である。ＢＤプレーヤ１は、作業者によって操作されるためのカーソル等を含む、設定データ生成処理時における処理画面をモニタ装置に表示する。光ディスクドライブ１２は、内部にＢＤディスクｄが装着され、ＢＤディスクｄからコンテンツデータを読み出して、読み出したコンテンツデータを制御部１０に出力する。
【００１９】
操作部１３は、設定データ生成処理時において、カーソルを移動させるための十字キー１３ａと、各種選択の決定を指示するための決定キー１３ｂと、各種のメニューや入力項目の切替え等を指示するための切替キー１３ｃとを有する。作業者は、設定データ生成処理時において、十字キー１３ａ、決定キー１３ｂ、及び切替キー１３ｃを操作して、所望のモデルのＢＤプレーヤ１に対応した設定データ１４ｂの生成を指示する。
【００２０】
メモリ１４は、設定情報マスタデータ（設定管理データ）１４ａを記憶している。設定情報マスタデータ１４ａには、複数のモデルのＢＤプレーヤ１が使用する可能性のある全種別の設定項目と、この全種別の設定項目に対する設定値等を含む情報が格納されている。具体的には例えば、設定情報マスタデータ１４ａには、設定項目「解像度」と、この設定項目の設定値「４８０Ｐ、１０８０Ｐ等」や、初期値「１０８０Ｐ」等の情報が格納されている。
【００２１】
ＢＤプレーヤ１は、設定情報マスタデータ１４ａの内容に基づいて、設定データ１４ｂを生成している。具体的には例えば、設定情報マスタデータ１４ａにおける設定項目「言語」の設定値を「日本語」に設定したり、設定項目「スタンバイモード」の設定値を「オフ」に設定したりすることにより、設定データ１４ｂを生成する。
【００２２】
制御部１０は、設定データ１４ｂを生成する設定データ生成部（生成手段）１０ａを有し、ＢＤプレーヤ１の各部を制御する。制御部１０は、設定データ生成処理において、作業者による設定項目等の選択操作が完了した後、作業者によって設定データ１４ｂの生成が指示されると、設定データ生成部１０ａを用いて設定データ１４ｂを生成する。制御部１０は、設定データ１４ｂの内容に基づいてＢＤプレーヤ１の各部の動作を行う。具体的には例えば、設定データ１４ｂの設定項目「言語」に設定値「日本語」が設定されている場合、ＢＤプレーヤ１は画面表示を行う際に、日本語で表示を行う。また、設定データ１４ｂの設定項目「スタンバイモード」に設定値「オフ」が設定されている場合、制御部１０は、スタンバイモードで動作を行わない。
【００２３】
次に、ＢＤプレーヤ１による設定データ生成処理の手順について、図２乃至図１０を参照して説明する。図２は、設定データ生成処理の手順を示すフローチャートである。図３乃至図１０は、設定データ生成処理において表示される画面の一例を示す。ここでは、ＢＤプレーヤ１の設定データ１４ｂを生成するものとする。
【００２４】
まず、制御部１０は、設定情報マスタデータ１４ａに含まれる全種別の設定項目を含む画面（以下、マスタ画面という）をモニタ装置６に表示させる（Ｓ１）。そして、作業者は、マスタ画面に表示された全種別の設定項目の中から、ＢＤプレーヤ１のモデルに対応した設定項目を選択する（Ｓ２）。
【００２５】
具体的には例えば、制御部１０は、図３に示すように、全種別の設定項目Ｂ１と、これらの設定項目Ｂ１のそれぞれについて、表示／非表示を設定するための選択欄Ｂ２とを含むマスタ画面をモニタ装置６に表示させる（上記Ｓ１に相当）。作業者は、図３に示すマスタ画面の中から、ＢＤプレーヤ１のモデルに対応した設定項目Ｂ１の選択欄Ｂ２を「表示」に設定する（上記Ｓ２に相当）。具体的には例えば、作業者が操作部１３を用いて、選択欄Ｂ２のうち、非表示にしたい項目までカーソルＣを移動させて決定キー１３ｂを押下すると、その項目の内容が「表示」から「非表示」に変更される。
【００２６】
作業者による設定項目の選択が完了すると、図４に示すように、選択欄Ｂ２に「表示」を設定した設定項目Ｂ１のみを表示させた設定画面がモニタ装置６に表示される。すなわち、この設定画面では、図３のマスタ画面において、選択欄Ｂ２を「非表示」に設定した設定項目Ｂ１（ここでは、図３中の「ネットワーク設定Ａ１」と「Ｂ項目Ａ２」）を表示しない。また、図４において、表示されていない設定項目については、カーソルＣによって選択することができない。
【００２７】
そして、作業者は、選択した設定項目Ｂ１に対する設定値に、固定値、又はユーザによって選択された値（ユーザ設定）のいずれかを設定する（Ｓ３）。具体的には例えば、図５に示すように、設定項目Ｂ１と、これらの設定項目Ｂ１のそれぞれについて、「固定設定」又は「ユーザ設定」のいずれかを設定するための設定欄Ｂ４とを含む設定画面がモニタ装置６に表示される。作業者は、設定欄Ｂ４の内容を変更したい項目までカーソルＣを移動させて、「固定設定」又は「ユーザ設定」のいずれかを設定する。
【００２８】
例えば、図５中のＡ項目の設定値を変更する場合、Ａ項目の設定欄Ａ１１にカーソルＣを移動させて、決定キー１３ｂを押下すると、図６に示すように、固定設定Ａ２１とユーザ設定Ａ２２とを示す画面が表示される。作業者は、固定設定Ａ２１又はユーザ設定Ａ２２のいずれかにカーソルＣを移動させて決定キー１３ｂを押下することにより、Ａ項目の設定値の内容を設定できる。なお、図５に示す設定画面は、図４に示す設定画面を表示しているときに、作業者が操作部１３を操作して、「固定設定」又は「ユーザ設定」のいずれかを選択して設定することにより表示される。
【００２９】
上記Ｓ３の処理の後、作業者は、選択した設定項目Ｂ１に対する設定値や初期値を設定する（Ｓ４）。すなわち、「固定設定」を設定した設定項目には、固定値である設定値を設定し、「ユーザ設定」を設定した設定項目には、ユーザによって選択可能な範囲を示す設定値や、設定値の初期値を設定する。
【００３０】
具体的には例えば、図５に示す設定画面において、「固定設定」が設定された「言語」の固定値を設定する場合、作業者が、「言語」の設定欄Ａ１２にカーソルＣを移動させた後に、決定キー１３ｂを操作すると、図７に示すように、設定項目「言語」に固定値として設定可能である英語Ａ３１、フランス語Ａ３２、日本語Ａ３３、中国語Ａ３４等の項目が表示される。ここで、作業者が、カーソルＣを日本語Ａ３３に移動させて決定キー１３ｂを押下すると、設定項目「言語」の固定設定の値（固定値）を「日本語」に設定する。
【００３１】
また、作業者が、図８に示すように、「固定設定」が設定された「仕向地」の設定値Ａ４１に「米国」を設定した場合、設定項目「リージョンコード」の設定値Ａ４２には「１」が自動的に設定される。このように、一の設定項目の設定値が設定されると、他の設定項目の設定値を自動的に設定することもできる。
【００３２】
一方、作業者が、「ユーザ設定」が設定された「音声チャンネル」について設定値を設定する場合、図５に示す設定画面において、「音声チャンネル」の設定欄Ａ１３にカーソルＣを移動させた後に、決定キー１３ｂを操作すると、図９に示すように、有効範囲Ａ５１と初期値Ａ５２の設定欄を含む設定画面が表示される。作業者は、操作部１３を操作して、ユーザによって選択可能な設定値の有効範囲Ａ５１と初期値Ａ５２とを入力する。「音声チャンネル」について初期値を設定しない場合、すなわち、初期化の際に、「音声チャンネル」の設定値を初期化しない場合、図１０に示すように、初期値Ａ５２を空白にしてもよい。
【００３３】
そして、上記Ｓ４の処理の後、作業者が、操作部１３を操作して設定データ１４ｂの生成を指示すると（Ｓ５）、制御部１０が、設定データ生成部１０ａを用いて、上記Ｓ２〜Ｓ４による設定内容に応じた設定データ１４ｂを生成する（Ｓ６）。
【００３４】
上述したように、本実施形態に係るＢＤプレーヤ１においては、所望のモデルのＢＤプレーヤ１の設定データ１４ｂを生成する際に、設定情報マスタデータ１４ａに含まれる全種別の設定項目の中から、自機のモデルのＢＤプレーヤ１に対応した設定項目を、作業者が操作部１３を用いて選択すると共に、選択された設定項目に対する設定値を入力し、選択された設定項目、及び入力された設定値を含む設定データ１４ｂを生成する。そのため、多数のモデルがあるＢＤプレーヤ１であっても、操作部１３を用いるだけで、所望のモデルのＢＤプレーヤ１の設定データ１４ｂを容易に生成することができるので、モデルごとのＢＤプレーヤ１の設定データ１４ｂの管理の手間を軽減できる。
【００３５】
次に、本発明の一実施形態に係るＢＤプレーヤの変形例について、図１１乃至図１３を参照して説明する。図１１は、ＢＤプレーヤ３と、このＢＤプレーヤ３に接続された管理機器２とを含むシステムの概略構成を示す。図１２は、管理機器２の電気的ブロック構成を示し、図１３は、ＢＤプレーヤ３の電気的ブロック構成を示す。
【００３６】
管理機器２は、ＢＤプレーヤ３のモデルに応じて、このモデルが使用する設定項目及び設定値を含む設定データ３４ａを生成する処理（以下、設定データ生成処理という）を行い、生成した設定データ３４ａを、伝送ケーブル４を介してＢＤプレーヤ３に転送する機器である。ＢＤプレーヤ３は、メモリ３４に設定データ３４ａを記憶し、設定データ３４ａの内容に基づいて動作を行う機器である。
【００３７】
管理機器２は、図１２に示すように、ディスプレイ２１と、ＢＤプレーヤ３に設定データ３４ａを送信するための送信部２２と、作業者によって操作される操作部２３と、各種情報が記憶されるメモリ２４と、制御部２０とを備える。
【００３８】
ディスプレイ２１には、設定データ生成処理における設定項目の選択画面等が表示される。操作部２３は、設定データ生成処理時において、カーソルを移動させるための十字キー２３ａと、各種選択の決定を指示するための決定キー２３ｂと、各種のメニューや入力項目の切替え等を指示するための切替キー２３ｃとを有する。すなわち、操作部２３は、上記図１に示した操作部１３と同様の構成である。
【００３９】
作業者は、設定データ生成処理時において、十字キー２３ａ、決定キー２３ｂ、及び切替キー２３ｃを操作して、所望のモデルのＢＤプレーヤ３に対応した設定データ３４ａの生成を指示する。作業者は、操作部２３を用いて、上記図２に示した設定データ生成処理と同様の処理を行うことができる。
【００４０】
メモリ２４は、設定情報マスタデータ２４ａを記憶している。設定情報マスタデータ２４ａには、複数のモデルのＢＤプレーヤ３が使用する可能性のある全種別の設定項目と、この全種別の設定項目に対する設定値等を含む情報が格納されている。この設定情報マスタデータ２４ａは、上記図１に示した設定情報マスタデータ１４ａと同様の内容である。具体的には例えば、設定情報マスタデータ２４ａには、設定項目「解像度」と、この設定項目の設定値「４８０Ｐ、１０８０Ｐ等」や、初期値「１０８０Ｐ」等の情報が格納されている。
【００４１】
制御部２０は、設定データ３４ａを生成する設定データ生成部２０ａを有し、管理機器２の各部を制御する。制御部２０は、設定データ生成処理において、作業者による設定項目等の選択操作が完了した後、作業者によって設定データ３４ａの生成が指示されると、設定データ生成部２０ａを用いて設定データ３４ａを生成して、生成した設定データ３４ａをＢＤプレーヤ３に送信する。管理機器２による設定データ生成処理は、上記図２に示した設定データ生成処理と同様の処理であるため、その説明を省略する。
【００４２】
ＢＤプレーヤ３は、図１３に示すように、管理機器２から設定データ３４ａを受信するための通信部３１と、光ディスクドライブ３２と、ユーザによって操作される各種操作ボタンを有する操作部３３と、各種情報を記憶するメモリ３４と、ＢＤプレーヤ２の各部を制御するための制御部３０とを備える。
【００４３】
光ディスクドライブ３２は、内部にＢＤディスクｄが装着され、ＢＤディスクｄからコンテンツデータを読み出して、読み出したコンテンツデータを制御部３０に出力する。メモリ３４は、管理機器２によって生成された設定データ３４ａを格納している。制御部３０は、設定データ３４ａの内容に基づいてＢＤプレーヤ３の各部の動作を行う。
【００４４】
上述したように、本変形例に係るＢＤプレーヤ３においては、ＢＤプレーヤ３の設定データ３４ａは、管理機器２の設定情報マスタデータ２４ａに含まれる全種別の設定項目の中から選択されると共に、選択された設定項目に対する設定値を入力されることによって生成されるため、複数のモデルのＢＤプレーヤ３の設定データ３４ａの内容を修正する場合に、設定情報マスタデータ２４ａの内容を修正することにより、複数のモデルのＢＤプレーヤ３の設定データ３４ａのすべてを修正することができるので、設定データ３４ａの管理の手間を軽減できる。
【００４５】
なお、本発明は、上記実施形態の構成に限られず、発明の趣旨を変更しない範囲で種々の変形が可能である。例えば、上記実施形態において、請求項に示す映像音響機器がＢＤプレーヤである例を示したが、これに限られず、設定データに基づいて動作を行う映像音響機器であればよい。また、設定情報マスタデータに含まれる全種別の設定項目は追加してもよい。
【符号の説明】
【００４６】
１  ＢＤプレーヤ（映像音響機器）
１３  操作部（選択手段、入力手段、入力方法設定手段、ユーザ入力設定手段）
１４  メモリ（記憶手段）
１０ａ  設定データ生成部（生成手段）
１４ａ  設定情報マスタデータ（設定管理データ）
１４ｂ  設定データ
【図１】
2013005011.tif 000003
【図２】
2013005011.tif 000004
【図３】
2013005011.tif 000005
【図４】
2013005011.tif 000006
【図５】
2013005011.tif 000007
【図６】
2013005011.tif 000008
【図７】
2013005011.tif 000009
【図８】
2013005011.tif 000010
【図９】
2013005011.tif 000011
【図１０】
2013005011.tif 000012
【図１１】
2013005011.tif 000013
【図１２】
2013005011.tif 000014
【図１３】
2013005011.tif 000015